(57)【特許請求の範囲】
【請求項１】
一対の縦框と一対の横框が組み合わされて枠状に形成される框と、
前記框に張って設けられる網材を備え、
矩形の網戸取付部と、前記網戸取付部より室内側に設けられ、内法の高さと幅が前記網戸取付部の内法における高さおよび幅の寸法よりも小さい矩形の開口部と、を有する取付枠に着脱自在に装着される網戸において、
前記框の内法の高さと幅の寸法は、前記開口部の内法の高さと幅よりも大きく設定され、
前記縦框および前記横框のいずれか一方の少なくとも一部が弾性体で構成され、
更に、前記弾性体の湾曲を阻止する板状の曲げ止め部材を備えると共に前記縦框と前記横框のうち前記弾性体を備える一方の両端に爪部が設けれ、当該爪部間に前記曲げ止め部材が装着されていることを特徴とする網戸。
【請求項２】
前記弾性体がゴム材であることを特徴とする請求項１に記載の網戸。
【請求項３】
建物開口部の内周に沿って取り付けられ、障子取付部と、前記障子取付部より室内側に設けられる網戸取付部と、前記網戸取付部より室内側に設けられて、その内法の高さおよび幅が前記網戸取付部の内法における高さおよび幅の寸法よりも小さい開口部としての最小開口部を備える取付枠と、
前記障子取付部に開閉自在に取り付けられる障子と、
前記網戸取付部に着脱自在に装着される請求項１又は２のいずれか一項に記載の網戸と、を備え、
前記取付枠の前記最小開口部の内法の高さおよび幅の寸法が前記網戸の框の内法の高さと幅の寸法よりも小さく設定されているサッシ。
【請求項４】
前記取付枠は、前記框の外周側面に対向する差込穴を有し、
前記網戸は、前記縦框および前記横框のうち弾性体を備えていない一方の框の前記網材より室内側に、前記取付枠に固定する一対のレバーを備え、
前記レバーは、前記框の奥行方向側面に垂直な軸に回転自在に装着され、前記軸に対して一方側に設けられて、前記框の内側へ突出可能な持ち手と、他方側に設けられて、前記框の外側へ突出可能なフックとを備え、
前記持ち手を前記框内に収容すると前記フックが前記框の外周側面より外方へ突出し、前記持ち手を前記框の内周側面より内方へ突出させると前記フックが前記框内に収容されることを特徴とする請求項３に記載のサッシ。
【請求項５】
前記框の外周側に少なくとも１つの突起を備え、
前記取付枠の内周側に前記突起に対向する位置に窪みを設け、前記窪みに収容させることにより、前記網戸が位置決めされていることを特徴とする請求項３又は４に記載のサッシ。
【発明の詳細な説明】
【技術分野】
【０００１】
この発明は、住宅、事務所等の窓枠に用いられ、昆虫等の室内への侵入を防ぐ網戸に関する。
【背景技術】
【０００２】
近年、トイレやキッチンなどの大きな開口をとることができない場所に、風や光を取り入れることができる滑り出し窓を採用した住宅等が増えている。
【０００３】
このような滑り出し窓を採用する場合、網戸を窓の外側へ設置できないため、網戸を窓（障子）の室内側に設けるようにしている。
【０００４】
障子の室内側に網戸を設ける場合、網戸の框が障子の採光部の面積を狭くして、窓の採光性が損なわれてしまうので、網戸の框をサッシ枠に隠す工夫がなされる場合がある。
【０００５】
たとえば、特許文献１に開示されたサッシは、建物開口部に取り付けたサッシ枠と、サッシ枠内に開閉自在に設けた障子と、サッシ枠内の障子の室内側に設けた網戸を備えている。また、サッシ枠は、網戸を取り付けるための段部を備えており、この段部と障子との間に網戸の框が装着される。そして、框の内法の長さと幅は、それぞれ、サッシ枠の内法の長さと幅より長いため、室内側正面視で網戸の框が、サッシ枠に隠れて見えないようになっている。
【０００６】
また、特許文献１の構造では、室内側からサッシ枠の段部へ網戸の框を取り付け、および取り外しを可能とするため、前記框のうち横框を伸縮させるようになっている。具体的には、横框は、中間で左右に分割されるフレームと、左側と右側のフレーム内にスライド自在に入子式に挿入される挿入部材とを備えている。
【０００７】
そして、左右のフレームを接近させると、框の横幅が狭まって、サッシ枠の段部に取り付けた網戸を取り外しでき、また、フレーム同士を接近させて網戸をサッシ枠の開口を通してサッシ枠の上記段部へ配置し、その後、フレーム同士と離間させて框の横幅を広げることでサッシ枠の上記段部へ取り付けできるようになっている。
【０００８】
これにより、網戸の框が障子の採光部を遮ることなく、採光性を確保することができる。
【先行技術文献】
【特許文献】
【０００９】
【特許文献１】特開２０１１−２４７０７４
【発明の概要】
【発明が解決しようとする課題】
【００１０】
しかしながら、従来の構造にあっては、左側のフレームと右側のフレームとを挿入部材を介して連結していて、これらフレームを接近、離間させる構造となっている。挿入部材に網を固定してしまうと、左右フレームを接近させることができなくなってしまうので、挿入部材には、網を固定できない。そのため、網が撓むと挿入部材と網との間に隙間が生じて、そこから昆虫等の侵入を許したり、網戸の美観を損なってしまう問題があった。
【００１１】
そこで、本発明の目的は、室内側から着脱可能であっても框で障子を遮ることがなく、框の４辺全てに網材を張ることができる網戸の提供である。
【課題を解決するための手段】
【００１２】
前記課題を解決するための手段は、一対の縦框と一対の横框が組み合わされて枠状に形成される框と、
前記框に張って設けられる網材を備え、
矩形の網戸取付部と、前記網戸取付部より室内側に設けられ、内法の高さと幅が前記網戸取付部の内法における高さおよび幅の寸法よりも小さい矩形の開口部と、を有する取付枠に着脱自在に装着される網戸において、
前記框の内法の高さと幅の寸法は、前記開口部の内法の高さと幅よりも大きく設定され、
前記縦框および前記横框のいずれか一方の少なくとも一部が弾性体で構成され、
更に、前記弾性体の湾曲を阻止する板状の曲げ止め部材を備えると共に前記縦框と前記横框のうち前記弾性体を備える一方の両端に爪部が設けれ、当該爪部間に前記曲げ止め部材が装着されていることを特徴とする。
【００１３】
また、前記弾性体は、ゴム材であってもよい。この構成によると、ゴム材は高弾性であるため、性能に優れる。
【００１６】
また、前記建物開口部の内周に沿って取り付けられ、障子取付部と、前記障子取付部より室内側に設けられる網戸取付部と、前記網戸取付部より室内側に設けられて、その内法の高さおよび幅が前記網戸取付部の内法における高さおよび幅の寸法よりも小さい開口部としての最小開口部を備える取付枠と、前記障子取付部に開閉自在に取り付けられる障子と、前記網戸取付部に着脱自在に装着される前記網戸を備え、前記取付枠の前記最小開口部の内法の高さおよび幅の寸法が前記網戸の前記框内内法の高さと幅の寸法よりも小さく設定されるサッシとしてもよい。
【００１７】
また、前記取付枠は、前記框の外周側面に対向する差込穴を有し、前記網戸は、前記縦框および前記横框のうち弾性体を備えていない一方の框の前記網材より室内側に、前記取付枠に固定する一対のレバーを備え、前記レバーは、前記框の奥行方向側面に垂直な軸に回転自在に装着され、前記軸に対して一方側に設けられて、前記框の内側へ突出可能な持ち手と、他方側に設けられて、前記框の外側へ突出可能なフックとを備え、前記持ち手を前記框内に収容すると前記フックが前記框の外周側面より外方へ突出し、前記持ち手を前記框の内周側面より内方へ突出させると前記フックが前記框内に収容されるようにしてもよい。この構成によると、レバーを回動させるだけで網戸を取付枠に固定でき、また、網戸の取り付け、取り外し時には、レバーの持ち手が把手として利用できるため、取り付け、取り外しが容易にできる。さらに、レバーの持ち手は、網戸の固定時には、框内に収容されるため、室内側正面視では見えず、窓の採光性を損ねない。
【００１８】
また、前記框の外周側に少なくとも１つの突起を備え、前記取付枠の内周側に前記突起に対向する位置に窪みを設け、前記窪みに収容させることにより、前記網戸が位置決めされるようにしてもよい。前記構成によると、網戸の固定時に框が建物開口部に隠れる位置に容易に位置決めすることができる。
【発明の効果】
【００１９】
本発明の網戸によれば、室内側から着脱可能であっても框で障子を遮ることがなく、框の４辺全てに網材を張ることができる。
横框の一部が弾性体でできているため、框を撓ませて縦框間を接近させ、框の幅寸法を狭めることができる。
框の四辺全てに網材が固定されており、網材が撓む際にも、隙間が生じない。
また、弾性部の湾曲を阻止する板状の曲げ止め部材を爪部間に装着することにより、網戸が取り付けられた後に横框が湾曲して、網戸の形が変形してしまうことを防止できる。
また、曲げ止め部材は、板状であるので、弾性部の目隠しとしても機能し、弾性部を覆うことができるため、網戸の美観が損なわれない。
【図面の簡単な説明】
【００２０】
【図１】本実施の形態に係る窓を示す縦断面図である。
【図２】本実施の形態に係る窓を示す横断面図である。
【図３】本実施の形態に係る網戸を示す室外側正面図である。
【図４（ａ）】網戸の取り付けの動作を説明する図であって、弾性部を湾曲させている状態の網戸と、一部切欠いて差込穴と窪みを視認できるようにした取付枠を示す斜視図である。
【図４（ｂ）】網戸の取り付けの動作を説明する図であって、レバーのフック部が差込穴に挿入され、網戸が取付枠に仮止めされている状態を示す斜視図である。
【図４（ｃ）】網戸の取り付けの動作を説明する図であって、レバーが回動され、網戸が取付枠に固定された状態を示す斜視図である。
【図５】レバーの動作を説明する図であって、（ａ）は、固定の解除状態を示し、（ｂ）は、固定された状態を示す拡大断面図である。
【発明を実施するための形態】
【００２１】
以下に、図示した本実施の形態に基づいて、図面を参照しながら説明する。いくつかの図面を通して付された同じ符号は、同じ部品か対応する部品を示す。
【００２２】
本実施の形態に係る発明は、いわゆる縦滑り出し窓の網戸として用いられている。ただし、窓の種類は、これに限定されるものではなく、例えば、押し出し窓や外倒し窓などの室内側から、主として、窓外側へ障子が開く窓への適用に向く。
【００２３】
図１、２に示すように、本実施の形態に係る網戸２が適用されたサッシは、建物に開口された建物開口１１の室内側の縁である矩形の建物開口部１１ａの内周に沿って取り付けられている枠状の取付枠５と、取付枠５に開閉自在に取り付けられる障子１と、取付枠５の障子１より室内側に着脱自在に設けられる網戸２と、建物開口１１の室内側から障子１を開閉できる操作部Ｈを備えてなる。
【００２４】
取付枠５は、実施の形態では、図１、図２に示すように、建物開口１１の室内側の縁である建物開口部１１ａの内周に沿って取り付けられる中空の枠体であって、障子取付部５ａと、障子取付部５ａより室内側に設けられて、その内法の高さおよび幅が、障子取付部５ａの内法における高さおよび幅の寸法よりも小さい網戸取付部５ｂと、網戸取付部５ｂより室内側に設けられて、その内法の高さおよび幅が網戸取付部５ｂの内法における高さおよび幅の寸法よりも小さい開口部としての最小開口部５ｃを備えてなる。よって、障子取付部５ａおよび網戸取付部５ｂは、ともに段状に形成されている。
【００２５】
障子１の窓枠１ａは、障子取付部５ａに開閉自在に取り付けられている。また、網戸取付部５ｂは、図４（ａ）に示すように、左右に差込穴５ｄを有し、下側には２箇所に窪み５ｅ，５ｅを有している。なお、取付枠５の障子取付部５ａと網戸取付部５ｂが設けられていれば、内部構造は前記したところに限定されない。
【００２６】
以下、サッシの開閉動作を簡単に説明する。障子１は取付枠５に対して一端が横方向へスライドおよび回転可能に取り付けられており、取付枠５と障子１とには、操作部Ｈの操作によって駆動されるアームがヒンジ結合されている。そして、操作部Ｈでアームを駆動して障子１を窓外側へ押し出すと障子１の一端が取付枠５に対してスライドしつつ、他端が室外側へ開くことで、取付枠５の内法全体を開放できるようになっている。また、反対に、操作部Ｈを逆方向に駆動させると障子１がアームによって取付枠５側へ引き込まれて、障子１を閉じることができる。なお、障子１を開くための構造は、これに限定されるものではない。
【００２７】
障子１は、この場合、窓枠１ａに枠状のスペーサ１ｃを挟んで２枚のガラス板１ｂを張って形成されてなる。このように、障子１には、２枚のガラス板１ｂ，１ｂ間に空気層が設けられるから、空気層が有する断熱作用で、断熱機能を発揮する。
【００２８】
そして、ガラス板１ｂについては、材質や板厚寸法などについて公知のものが利用されて良く、また、熱線入りとされて結露防止構造とされたり、空気層に対向する面に特殊な金属膜がコーティングされて遮熱性が高められていたりしていても良い。
【００２９】
なお、本実施の形態に係る障子１は、ガラス板１ｂの枚数を２枚にしているが、ガラス板１ｂの枚数の多少は、この発明の実施を妨げないため、任意の枚数で良い。
【００３０】
網戸２は、図３に示すように、一対の縦框３ａ，３ａと一対の横框３ｂ，３ｂが組み合わされてなる枠状の框３と、網状の面材である網材４と、網材４を縦框３ａ，３ａと横框３ｂ，３ｂのそれぞれに固定する網戸ロープ１０を備えてなる。
【００３１】
図２に示すように、縦框３ａは、中空のチャンネル材であって、奥行方向の室外側面に２本の突起部３ｅが設けられている。これらの突起部３ｅと縦框３ａの室外側面とで、溝３ｃが形成されている。
【００３２】
図１、図３に示すように、横框３ｂは、弾性体で形成される弾性部１２と、弾性部１２の左右にそれぞれ連結される一対の中空なコーナーブロック１３とで構成されている。
【００３３】
本実施の形態に係るコーナーブロック１３は、矩形である框３の四つの角を構成するＬ字状の部材であって、縦框３ａ側に延びる挿入部と、弾性部１２側に延び、先端が突起する連結部を備えてなる。
【００３４】
本実施の形態に係る弾性部１２は、ゴム材からなり、中空であって、左右に開口孔が設けられてなる。
【００３５】
さらに、コーナーブロック１３と弾性部１２の室外側端には、それぞれ、２本の突起部３ｆが設けられて、これらの突起部３ｆと室外側端とで溝３ｇ，３ｈが形成されている。
【００３６】
そして、コーナーブロック１３の連結部を弾性部１２の開口孔に挿入することで、両者が一体化されて横框３ｂが形成される。すると、コーナーブロック１３と弾性部１２の室外側端に設けられている溝３ｇ，３ｈがつながって、横框３ｂの室外側端に一連の溝３ｄが形成される。
【００３７】
また、コーナーブロック１３の挿入部を縦框３ａの内方に挿入することで、縦框３ａと、横框３ｂが連結され、框３が形成される。これにより、縦框３ａと横框３ｂの溝３ｃ，３ｄもつながって、框３の四辺全てに一連の溝が形成される。
【００３８】
また、框３の縦框３ａの内法の幅寸法、つまり、縦框３ａ，３ａ同士の内周面間隔は、取付枠５の最小開口部５ｃの内法の幅方向の長さよりも長く、横框３ｂ，３ｂ同士の内周面間隔は、取付枠５の最小開口部５ｃの内法の高さ方向の長さより長く設定される。これにより、網戸２を網戸取付部５ｂに取り付けると、框３が取付枠５の最小開口部５ｃに隠されて室内側から見た正面視で、見えなくなり、サッシの採光性を確保することができるとともに美観を損なわない。
【００３９】
なお、本実施の形態においては、建物開口部１１ａの内周に沿って設けられた取付枠５の最小開口部５ｃによって、框３が隠されているが、取付枠５を設けずに、建物開口部１１ａの内法の幅方向と高さ方向の長さのみを短くして、框３を隠す段差を作るようにしてもよく、この場合、取付枠５が不要になるため、材料を減らすことができる。
【００４０】
また、本実施の形態においては、横框３ｂの一部が弾性体で形成されているが、横框３ｂの全部が弾性体であってもよい。
【００４１】
なお、横框３ｂの弾性部１２は、弾性に優れるゴム材で形成されているが、弾性部１２は、人の力で湾曲できる弾性体で作られていれば足りる。
【００４２】
また、図３に示すように、横框３ｂのコーナーブロック１３の下端には、それぞれ、突起１３ａ，１３ａが設けられている。これら突起１３ａ，１３ａは、框３を網戸取付部５ｂに嵌めると、突起１３ａ，１３ａがそれぞれ網戸取付部５ｂに設けた窪み５ｅ，５ｅに挿入されるようになっている。
【００４３】
網材４は、網状の矩形の面材であって、四隅が縦框３ａ，３ａと横框３ｂ，３ｂに固定されて、框３の室外側に張られて、昆虫等の室内への侵入を遮断する。また、材質は特に限定されるものではないが、通常の網戸に用いられる網材を使用することができる。これには、例えば、ステンレス鋼、ポリプロピレン、ガラス繊維、ポリ塩化ビニル、ポリエステル等による網材を挙げることができる。
【００４４】
網戸ロープ１０は、環状に形成されたロープであって、縦框３ａ，３ａの室外側面に設けられた溝３ｃと、横框３ｂ，３ｂの室外側面に設けられた溝３ｄに網材４の四隅を巻き付けた状態で、網戸ロープ１０を溝３ｃ，３ｄに挿入することで、網材４を、框３に固定している。
【００４５】
なお、網戸ロープ１０の材質は特に限定されないが、網戸ロープ１０は、上述の通り、縦框３ａおよび横框３ｂの室外側に設けられた溝３ｃ，３ｄに挿入されるため、柔軟性のある材料、例えばゴム系の材料であることが好ましい。
【００４６】
また、図３に示すように、弾性部１２に設けられた溝３ｈは、入口幅が狭くなっている。これにより、弾性部１２の溝３ｈに挿入された網戸ロープと網材４が、弾性部１２から外れないようになっている。
【００４７】
上述した構成を備える網戸２は、横框３ｂの一部が弾性体でできているため、框３を撓ませて縦框３ａ，３ａ間を接近させ、框３の幅寸法を狭めることができる。
【００４８】
また、框３には、四辺全てに一連の溝が設けられているため、網材４を四辺全てに固定できる。
【００４９】
また、図４（ｂ）、図５（ａ）、（ｂ）に示すように、本実施の形態に係る縦框３ａ，３ａは、縦框３ａ，３ａ同士が対向する面である内周面に収容部３ｉと一対のレバー６，６を備えている。このレバー６は、縦框３ａ内で固定される軸６ｃを境に内周側に延びる一端と外周側に延びる他端にそれぞれ持ち手６ａとフック６ｂを有している。軸６ｃは、縦框３ａに対し、奥行き方向側面に垂直に設けられている。よって、レバー６は、縦框３ａに対して、室内側から見て、時計及び反時計方向に回動できるようになっている。そして、レバー６を回動させて、持ち手６ａを框３の内側へ突出させると、フック６ｂは、縦框３ａ内に収容され、反対に、レバー６を回動させて持ち手６ａを縦框３ａ内へ収容すると、フック６ｂが框３ａの外側へ突出するようになっている。
【００５０】
縦框３ａの内周面に設けられる収容部３ｉは、少なくともレバー６の持ち手６ａの長さと厚みを収容できる大きさの窪みであればよい。
【００５１】
また、図３に示すように、本実施の形態に係る網戸２は、横框３ｂの弾性部１２の湾曲を阻止する板状の曲げ止め部材７を備えている。曲げ止め部材７は、具体的には、横框３ｂの弾性部１２を挟む両端に設けられたコーナーブロック１３の内周側に設けた一対の対向する爪部８，８の間に装着される。
【００５２】
さらに、曲げ止め部材７の一端には、爪部８に嵌め込み可能な嵌め込み部９ａを有する把手９が設けられている。
【００５３】
以下、網戸２の取り付け方法について詳細に説明する。まず、図４（ａ）に示すように、操作部Ｈを駆動させて障子１を少し開口させてから、横框３ｂ，３ｂを湾曲させながら、框３の上端を少し室内側に傾けるように斜めにして、下端側から取付枠５内に入れる。この際、持ち手６ａを框内側へ突出させておくようにして、持ち手６ａを両手で掴むことで、弾性部１２を撓ませた状態で、框３を網戸取付部５ｂへ挿入できる。また、持ち手６ａを框内へ突出させた状態では、フック６ｂは縦框３ａ内に収容されている状態であるので、框３を取付枠５の最小開口部５ｃを通過させて網戸取付部５ｂへ挿入する際、フック６ｂが邪魔となることはない。また、この方法によると、網戸２を取付枠５内に入れる際に、大きく傾けて入れる必要がないため、障子１をほとんど開口せずに済み、障子１を大きく開口させる手間が省略されている。なお、図示するところでは、両側の横框３ｂ，３ｂを湾曲させているが、上側あるいは下側の一方のみを湾曲させて、框全体を斜めにして建物開口１１内に入れるようにしてもよい。また、横框３ｂ，３ｂを上下方向に湾曲させて、框全体を斜めにして建物開口１１内に入れるようにしてもよく、この場合、障子１を開口しなくても、網戸２の取付が可能となる。
【００５４】
次に、取付枠５の下側の網戸取付部５ｂに設けられた窪み５ｅに合わせて下側の横框３ｂに設けられた突起１３ａを挿入して網戸２を位置決めし、図４（ｂ）に示すように、縦框３ａ，３ａにそれぞれ設けられたレバー６を回転させて持ち手６ａを縦框３ａ内に収容するとともに、フック６ｂを縦框３ａの両側から突出させて、取付枠５の差込穴５ｄに挿入する。
【００５５】
すると、図４（ｃ）に示すように、フック６ｂが網戸取付部５ｂに引っ掛かかり、網戸２が網戸取付部５ｂに固定される。
【００５６】
また、網戸２を取り外す場合は、上記と全く逆の手順を踏むことで、網戸２を取り外すことができる。
【００５７】
この発明によると、通常の網戸であれば、取付枠５の内法の高さおよび幅の長さが網戸の框の内法の高さおよび幅の長さより狭く設定されると、室内側から取り付け、取り外しをすることは困難になるが、本実施の形態に係る網戸２の横框３ｂは、一部が弾性体からなる弾性部１２で形成されているため、図４（ａ）に示すように、弾性部１２を湾曲させることで、縦框３ａ，３ａ同士の内周間隔を取付枠５の内法の幅方向の長さより短くすることができる。したがって、網戸２を室内側から取り付け、取り外しすることができる。
【００５８】
また、本実施の形態に係る網戸２には、弾性部１２にも溝３ｈが設けられているため、框３の四辺全てに網戸ロープ１０を挿入する溝が設けられている。そのため、框３の四辺全てに網材４が固定されており、網材４が撓む際にも、隙間が生じない。
【００５９】
さらに、弾性部１２に設けられた溝３ｈは、入口の幅が狭くなっている。これにより、弾性部１２の溝３ｈに嵌めると、網戸ロープ１０と、網材４が弾性部１２から外れない。
【００６０】
また、縦框３ａ，３ａは、内周面に収容部３ｉと一対のレバー６，６を備えており、図５（ａ）に示すように、縦框３ａの外周面側に対向する位置に設けられる取付枠５の差込穴５ｄにフック６ｂを挿入し、図５（ｂ）に示すように、レバー６を縦框３ａの内周面に向けて回動させることで、持ち手６ａが収容部３ｉに収容され、フック６ｂが取付枠５の外周に引っ掛かって、網戸２が取付枠５の網戸取付部５ｂに固定される。この結果、網戸２が固定されたときに持ち手６ａが収容部３ｉに収容されるため、レバー６は、取付枠５の最小開口部５ｃに隠れて室内側正面視では見えず、美観と採光性を損ねない。さらに、框３には内周に張った網材４から内向きの張力が作用するので、特に框３の長辺、この場合、縦框３ａが、内側へ撓みやすいが、本実施の形態においては、レバー６で縦框３ａを外側に引っ張りながら固定するため、縦框３ａの撓みも防止できる。なお、横框３ｂが長い場合、縦框３ａに弾性部を設けて、横框３ｂにレバー６を設けて、横框３ｂの撓みを防止してもよい。
【００６１】
また、横框３ｂの弾性部１２の湾曲を阻止する板状の曲げ止め部材７をコーナーブロック１３，１３の内周側に設けられた爪部８，８間に装着することにより、網戸２が取り付けられた後に横框３ｂが湾曲して、網戸２の形が変形してしまうことを防止できる。また、曲げ止め部材７は、板状であるので、弾性部１２の目隠しとしても機能し、弾性部１２を覆うことができるため、網戸２の美観が損なわれない。
【００６２】
また、曲げ止め部材７の一端には、爪部８に嵌め込み可能な嵌め込み部９ａを有する把手９が設けられている。これにより、曲げ止め部材７を取り外す際に、把手９を掴んで、曲げ止め部材７を他端側に少し移動させてから、斜め方向に引っ張ることで容易に曲げ止め部材７の取り外しをすることができる。
【００６３】
なお、本実施の形態に係る曲げ止め部材７は、板状であるが、弾性部１２の湾曲を阻止する効果を発揮するためには、横框３ｂの剛性を高めることができれば形状はこれに限定されず、例えば、棒状にして、左右のコーナーブロック１３，１３間に装着し、つっぱり棒のようにされてもよい。
【００６４】
また、図３に示すように、取付枠５の下側の網戸取付部５ｂに設けられた窪み５ｅに対向するように、図中下側の横框３ｂの外周面に２つの突起１３ａ，１３ａをそれぞれ設けることで、網戸２の取り付け時に突起１３ａを窪み５ｅに収容し、網戸２をレバー６と差込穴５ｃが対向する位置に位置決めすることができるとともに、網戸２のぐらつきを防止できる。なお、本実施の形態においては、突起１３ａと窪み５ｅを２つずつ設けているが、１つ以上設けてあれば、位置決め機能としては足り、突起１３ａと窪み５ｅの数を増やすほど、網戸２のぐらつきを防止する効果が高まる。
【００６５】
以上、本発明の好ましい実施の形態を詳細に説明したが、特許請求の範囲から逸脱なく改造、変形及び変更ができるのは当然である。
【符号の説明】
【００６６】
１  障子
２  網戸
３  框
３ａ  縦框
３ｂ  横框
４  網材
５  取付枠
５ａ  障子取付部
５ｂ  網戸取付部
５ｃ  最小開口部
５ｄ  差込穴
５ｅ  窪み
６  レバー
６ａ  持ち手
６ｂ  フック
７  曲げ止め部材
８  爪部
１１ａ  建物開口部
１３ａ  突起
【図１】
0006031135.tif 000002
【図２】
0006031135.tif 000003
【図３】
0006031135.tif 000004
【図４（ａ）】
0006031135.tif 000005
【図４（ｂ）】
0006031135.tif 000006
【図４（ｃ）】
0006031135.tif 000007
【図５】
0006031135.tif 000008